(57)【要約】【課題】バスダクトへの取付時における作業性と、取付後のより確実な固定を両立可能なバスダクト分岐装置を提供する。【解決手段】  箱体２と、箱体２の取付面から突出して設けられる分岐用端子５と、箱体２の前端側と後端側の少なくとも一方側に設けられ、バスダクト１０のガイド孔１１５ａに導入されて箱体２を取付位置に案内するガイド部材３と、バスダクト１０の被取付面の取付位置に案内された箱体２をバスダクト１０に固定する固定部材６及び固定金具６５で構成される固定部とを備え、前記固定部を、箱体２の前端側と後端側の少なくともガイド部材３の設置側で外方に突出するように設けると共に、バスダクト１０の被取付面から離間する方向に変形可能とするバスダクト分岐装置。【選択図】図６
2010119286.tif 000002
【特許請求の範囲】
【請求項１】
バスダクトに取り付けられる箱体と、
前記箱体の取付面から突出して設けられる分岐用端子と、
前記箱体の前端側と後端側の少なくとも一方側に設けられ、前記バスダクトのガイド開口に導入されて前記箱体を取付位置に案内するガイド部材と、
前記バスダクトの被取付面の取付位置に案内された前記箱体を前記バスダクトに固定する固定部とを備え、
前記固定部のうち少なくとも一の固定部を、前記箱体の前端側と後端側のうち前記ガイド部材の設置側で、前記ガイド部材の略上側で且つ外側方に突出するように設けると共に、前記バスダクトの被取付面から離れる方向に変形可能とすることを特徴とするバスダクト分岐装置。
【請求項２】
前記固定部のうち前記一の固定部とは別の固定部を、前記箱体の前端側と後端側のうち前記一の固定部の設置側と反対側寄りに設けることを特徴とする請求項１記載のバスダクト分岐装置。
【請求項３】
前記ガイド部材の少なくとも一部を、前記取付面の垂直方向視で、前記箱体の外周から突出した位置に設け、
前記一の固定部が前記ガイド部材の突出部分を前記バスダクトの被取付面側に押し付けるようにして、前記一の固定部を前記バスダクトに固定することを特徴とする請求項１又は２記載のバスダクト分岐装置。
【請求項４】
前記一の固定部を変形した状態に保持する保持具を備えることを特徴とする請求項１〜３の何れかに記載のバスダクト分岐装置。
【請求項５】
前記一の固定部の幅を、前記箱体の幅以下とすることを特徴とする請求項１〜４の何れかに記載のバスダクト分岐装置。
【請求項６】
前記一の固定部に、前記バスダクトに取り付けられた状態で前記被取付面側に突出する間隔保持部を設けることを特徴とする請求項１〜５の何れかに記載のバスダクト分岐装置。
【請求項７】
前記一の固定部に、前記バスダクトの側板と前記側板の端部から側方に突出して設けられる補強部との略境界を押圧する固定具を設けることを特徴とする請求項１〜６の何れかに記載のバスダクト分岐装置。
【請求項８】
バスダクトに取り付けられる箱体と、
前記箱体の取付面から突出して設けられる分岐用端子と、
前記箱体の前端側と後端側の少なくとも一方側に設けられ、前記バスダクトのガイド開口に導入されて前記箱体を取付位置に案内するガイド部材と、
前記バスダクトの被取付面の取付位置に案内された前記箱体を前記バスダクトに固定する固定部とを備え、
前記固定部を、前記箱体の前端側と後端側の少なくとも前記ガイド部材の設置側で、前記ガイド部材の略上側で且つ外側方に突出するように設けると共に、
前記固定部に、前記ガイド部材を視認する窓を設けることを特徴とするバスダクト分岐装置。
【請求項９】
バスダクトに取り付けられる箱体と、
前記箱体の取付面から突出して設けられる分岐用端子と、
前記箱体の取付面側に設けられ、前記バスダクトのガイド開口に導入されて前記箱体を取付位置に案内するガイド部材と、
前記バスダクトの被取付面の取付位置に案内された前記箱体を前記バスダクトに固定する固定部とを備え、
前記固定部のうち少なくとも一の固定部を、前記箱体の前端側と後端側のうちの一方の外側方に突出するように設けると共に、前記バスダクトの被取付面から離れる方向に変形可能とし、
前記ガイド部材に係止部を設け、前記ガイド部材を前記ガイド開口に導入した際に、前記係止部が前記ガイド開口の係止縁に係止されて、前記ガイド部材が軸となって回転しながら前記バスダクトに取り付けられる構成であることを特徴とするバスダクト分岐装置。
【請求項１０】
請求項１〜９の何れかに記載のバスダクト分岐装置と、前記バスダクト分岐装置が取り付けられるバスダクトとから構成されることを特徴とするバスダクト分岐構造。
【請求項１１】
バスダクトに取り付けられる箱体の前端側と後端側の少なくとも一方側で外側方に突出して設けられている固定部を、前記バスダクトの被取付面から離れる方向に変形する工程と、
前記固定部の略下側に設けられているガイド部材を前記バスダクトのガイド開口に導入し、前記ガイド部材を軸にして前記箱体を回転して、前記箱体を前記バスダクトの取付位置に案内する工程と、
前記固定部を変形状態から復帰する工程と、
前記固定部により前記箱体を前記バスダクトに固定する工程とを備えることを特徴とするバスダクト分岐構造の組立方法。
【発明の詳細な説明】
【技術分野】
【０００１】
本発明は、オフィスビルや工場などの建物で電気幹線路を構成するバスダクトを分岐するバスダクト分岐装置、バスダクト分岐構造及びその組立方法に関する。
【背景技術】
【０００２】
従来から、建物の電気幹線としてバスダクトが用いられており、このバスダクトに流れる電流を設備機器や分電盤などに分岐するバスダクト分岐装置が用いられている。バスダクト分岐装置としては、特許文献１のように、箱体の取付面から分岐用端子を突出して設け、箱体の前端側にガイド部材（係止部材）を設け、バスダクトのガイド開口（係止孔）にガイド部材を挿入して、ガイド部材を中心に回動しながらバスダクトに取り付けるものがある。前記バスダクト分岐装置は、バスダクト分岐装置をバスダクトに取り付ける際の作業性を向上することが可能である。
【０００３】
【特許文献１】特許第３８４７５４８号公報
【発明の開示】
【発明が解決しようとする課題】
【０００４】
ところで、特許文献１のバスダクト分岐装置は、バスダクトへの取付時の作業性に優れるものの、バスダクト分岐装置には、バスダクトへの取付後により確実にバスダクトに固定されることも求められる。そのため、バスダクトへの取付時の作業性に優れると共に、バスダクトへの取付後により確実にバスダクトに固定されるバスダクト分岐装置が望まれている。また、バスダクト分岐装置には、バスダクトの取付時の作業性を一層向上することも求められている。  
本発明は上記課題を解消するために提案するものであって、バスダクトへの取付時の作業性に優れると共に、バスダクトへの取付後により確実にバスダクトに固定されるバスダクト分岐装置、バスダクト分岐構造及びその組立方法を提供することを目的とする。また、本発明の他の目的は、バスダクトの取付時の作業性を一層向上することができるバスダクト分岐装置、バスダクト分岐構造及びその組立方法を提供することにある。  
【課題を解決するための手段】
【０００５】
本発明に於ける第１の主発明のバスダクト分岐装置は、バスダクトに取り付けられる箱体と、前記箱体の取付面から突出して設けられる分岐用端子と、前記箱体の前端側と後端側の少なくとも一方側に設けられ、前記バスダクトのガイド開口に導入されて前記箱体を取付位置に案内するガイド部材と、前記バスダクトの被取付面の取付位置に案内された前記箱体を前記バスダクトに固定する固定部とを備え、前記固定部のうち少なくとも一の固定部を、前記箱体の前端側と後端側のうち前記ガイド部材の設置側で、前記ガイド部材の略上側で且つ外側方に突出するように設けると共に、前記バスダクトの被取付面から離れる方向に変形可能とすることを特徴とする。前記ガイド部材には係止部を設け、前記係止部を前記ガイド開口の係止縁に係止して、前記ガイド部材を軸として回転しながら前記バスダクトに取付可能な構成とすると好適である。
【０００６】
更に、上記発明のバスダクト分岐装置は、前記固定部のうち前記一の固定部とは別の固定部を、前記箱体の前端側と後端側のうち前記一の固定部の設置側と反対側寄りに設けることを特徴とする。
【０００７】
更に、上記発明のバスダクト分岐装置は、前記ガイド部材の少なくとも一部を、前記取付面の垂直方向視で、前記箱体の外周から突出した位置に設け、前記一の固定部が前記ガイド部材の突出部分を前記バスダクトの被取付面側に押し付けるようにして、前記一の固定部を前記バスダクトに固定することを特徴とする。
【０００８】
更に、上記発明のバスダクト分岐装置は、前記一の固定部を変形した状態に保持する保持具を備えることを特徴とする。
【０００９】
更に、上記発明のバスダクト分岐装置は、前記一の固定部の幅を、前記箱体の幅以下とすることを特徴とする。
【００１０】
更に、上記発明のバスダクト分岐装置は、前記一の固定部に、前記バスダクトに取り付けられた状態で前記被取付面側に突出する間隔保持部を設けることを特徴とする。
【００１１】
更に、上記発明のバスダクト分岐装置は、前記一の固定部に、前記バスダクトの側板と前記側板の端部から側方に突出して設けられる補強部との略境界を押圧する固定具を設けることを特徴とする。
【００１２】
本発明に於ける第２の主発明のバスダクト分岐装置は、バスダクトに取り付けられる箱体と、前記箱体の取付面から突出して設けられる分岐用端子と、前記箱体の前端側と後端側の少なくとも一方側に設けられ、前記バスダクトのガイド開口に導入されて前記箱体を取付位置に案内するガイド部材と、前記バスダクトの被取付面の取付位置に案内された前記箱体を前記バスダクトに固定する固定部とを備え、前記固定部を、前記箱体の前端側と後端側の少なくとも前記ガイド部材の設置側で、前記ガイド部材の略上側で且つ外側方に突出するように設けると共に、前記固定部に、前記ガイド部材を視認する窓を設けることを特徴とする。尚、第２の主発明には、第１の主発明に関連する各部の特徴を適宜適用することが可能であり、例えばバスダクト分岐装置の固定部を一の固定部と別の固定部とで構成し、一の固定部に上記一の固定部の構成を適宜採用することができる。
【００１３】
本発明に於ける第３の主発明のバスダクト分岐装置は、バスダクトに取り付けられる箱体と、前記箱体の取付面から突出して設けられる分岐用端子と、前記バスダクトの被取付面の取付位置に配置された前記箱体を前記バスダクトに固定する固定部と、前記バスダクトの長手方向を長手方向として前記箱体の取付面の幅方向両側から突出して設けられ、前記バスダクトに対する前記箱体の取付位置を規制する規制部材とを備えることを特徴とする。尚、第３の主発明には、第１、第２の主発明に関連する各部の特徴を適宜適用することが可能であり、例えば第３の主発明にガイド部材を設け、上記ガイド部材の構成を適宜採用することができる。
【００１４】
本発明に於ける第４の主発明のバスダクト分岐装置は、バスダクトに取り付けられる箱体と、前記箱体の取付面から突出して設けられる分岐用端子と、前記箱体の取付面側に設けられ、前記バスダクトのガイド開口に導入されて前記箱体を取付位置に案内するガイド部材と、前記バスダクトの被取付面の取付位置に案内された前記箱体を前記バスダクトに固定する固定部とを備え、前記固定部のうち少なくとも一の固定部を、前記箱体の前端側と後端側のうちの一方の外側方に突出するように設けると共に、前記バスダクトの被取付面から離れる方向に変形可能とし、前記ガイド部材に係止部を設け、前記ガイド部材を前記ガイド開口に導入した際に、前記係止部が前記ガイド開口の係止縁に係止されて、前記ガイド部材が軸となって回転しながら前記バスダクトに取り付けられる構成であることを特徴とする。
【００１５】
また、本発明のバスダクト分岐構造は、本発明のバスダクト分岐装置と、前記バスダクト分岐装置が取り付けられるバスダクトとから構成されることを特徴とする。
【００１６】
また、本発明のバスダクト分岐構造の組立方法は、バスダクトに取り付けられる箱体の前端側と後端側の少なくとも一方側で外側方に突出して設けられている固定部を、前記バスダクトの被取付面から離れる方向に変形する工程と、前記固定部の略下側に設けられているガイド部材を前記バスダクトのガイド開口に導入し、前記ガイド部材を軸にして前記箱体を回転して、前記箱体を前記バスダクトの取付位置に案内する工程と、前記固定部を変形状態から復帰する工程と、前記固定部により前記箱体を前記バスダクトに固定する工程とを備えることを特徴とする。
【００１７】
また、本発明のバスダクト分岐構造の組立方法は、バスダクトに取り付けられる箱体の前端側と後端側の少なくとも一方側で外側方に突出して設けられている固定部の窓から、前記固定部の略下側に設けられているガイド部材を視認して、前記ガイド部材を前記バスダクトのガイド開口に導入し、前記ガイド部材を軸にして前記箱体を回転して、前記箱体を前記バスダクトの取付位置に案内する工程と、前記固定部により前記箱体を前記バスダクトに固定する工程とを備えることを特徴とする。
【００１８】
また、本発明のバスダクトの分岐構造の組立方法は、バスダクトの長手方向を長手方向として箱体の取付面の幅方向両側から突出して設けられている規制部材で取付位置を規制して、前記箱体を前記バスダクトに配置する工程と、固定部により前記箱体を前記バスダクトに固定する工程とを備えることを特徴とする。
【００１９】
尚、本明細書開示の発明には、各発明や各実施形態の構成の他に、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものも含まれる。
【発明の効果】
【００２０】
本発明では、ガイド部材の略上側で且つ外側方に突出するように固定部或いは一の固定部を設け、固定部或いは一の固定部をバスダクトの被取付面から離れる方向に変形可能とすることにより、バスダクト分岐装置のバスダクトへの取付時には、作業者がガイド部材とガイド開口を視認しながらガイド部材をガイド開口に挿入できるので、優れた作業性を有する。また、バスダクト分岐装置の取付後には、固定部又は一の固定部の固定により、バスダクト分岐装置をより確実にバスダクトに固定することができる。即ち、取付時における作業性と取付後の固定の確実性とを簡易な構成で両立することができる。
【００２１】
また、固定部或いは一の固定部をバスダクトの被取付面から離れる方向に変形可能とすることにより、取付面の垂直方向視で箱体の外周からガイド部材が突出していない場合においても、バスダクト分岐装置のバスダクトへの取付時には、作業者が斜め上方や側方からガイド部材とガイド開口を視認しながらガイド部材をガイド開口に挿入できるので、その点においても優れた作業性を有する。
【００２２】
また、固定部のうち一の固定部とは別の固定部を一の固定部の設置側と反対側寄りに設けることにより、高い安定性でバスダクト分岐装置をバスダクトに固定することができる。
【００２３】
また、ガイド部材の箱体外周からの突出部分を固定部或いは一の固定部で押し付けるようにしてバスダクトに固定することにより、バスダクト分岐装置をより確実にバスダクトに固定することができる。
【００２４】
また、保持具で固定部或いは一の固定部を変形した状態に保持することにより、バスダクト分岐装置の移動作業時や取付作業時などに、意図しない固定部の変形からの復帰動作を防止することができ、作業性を格段に向上することができる。
【００２５】
また、固定部或いは一の固定部の幅を箱体の幅以下とすることにより、例えば複数のバスダクトを並列施工する場合に、バスダクトに取り付けたバスダクト分岐装置の固定部により、隣り合うバスダクト間のスペースが狭まることを回避できる。従って、作業スペースの狭まりを回避し、作業性を向上できる。
【００２６】
また、固定部或いは一の固定部に、バスダクトの被取付面側に突出する間隔保持部を設けることにより、バスダクトの被取付面で突出するボルト等を固定部或いは一の固定部で押圧することを回避でき、被取付面の状態に対応することが可能となる。
【００２７】
また、固定部或いは一の固定部に、バスダクトの側板と側板の端部から側方に突出して設けられる補強部との略境界を押圧する固定具を設けることにより、固定に要する力を側板と補強部に分散することが可能となり、力が一方にだけにかかる場合に比して、バスダクトの変形等を防止することができる。
【００２８】
また、本発明では、ガイド部材の略上側で且つ外側方に突出するように固定部或いは一の固定部を設け、固定部或いは一の固定部にガイド部材を視認する窓を設けることにより、ガイド部材をガイド開口に導入する箇所を作業者が視認することができ、バスダクト分岐装置の取付時における良好な作業性を確保することができる。また、固定部或いは一の固定部の固定により、バスダクトへの取付後にバスダクト分岐装置をより確実にバスダクトに固定することができる。
【００２９】
また、本発明では、バスダクトの長手方向を長手方向として箱体の取付面の幅方向両側から突出して設けられる規制部材で、バスダクトに対する箱体の取付位置を規制することにより、バスダクトに対してバスダクト分岐装置を簡単且つ確実に平行に配置することができ、取り付けの作業性をより向上することができる。
【発明を実施するための最良の形態】
【００３０】
以下では、本発明について、実施形態のバスダクト分岐装置に基づいて説明する。
【００３１】
〔実施形態のバスダクト分岐装置〕
実施形態のバスダクト分岐装置１は、図１に示すように、バスダクト１０に取り付けられるハウジングである箱体２を有し、全体として箱形に形成されている。箱体２は、前後、左右、上下のそれぞれに矩形の面を有する直方体の六面体形状であり、バスダクト１０への取付面となる下面に対応する底板２ａと、左右の二面に対応する一対の側壁２ｂ・２ｂと、前面に対応する前壁２ｃと、後面に対応する後壁２ｄと、上面に対応する蓋体２ｅを有する。底板２ａは、その外面がバスダクト１０に取り付けられる際の取付面となり、一対の側壁２ｂ・２ｂ、前壁２ｃ、後壁２ｄは、底板２ａから立設して周壁を構成している。蓋体２ｅは、上面の両端部を閉塞するように設けられている端板２ｅ１の間に設けられ、開閉可能になっている。蓋体２ｅの前側に位置する前側の端板２ｅ１には、略逆Ｕ字形の取手２ｆが上方に突出して設けられている。また、底板２ａの前側にはガイド部材３が設けられ、底板２ａの後側には取付部材４が設けられ、底板２ａの左右方向（幅方向）の中央付近で且つ前後方向（長さ方向）の前側寄りに分岐用端子５が突出して設けられている。
【００３２】
箱体２の底板２ａの前側には、それぞれ底板２ａから垂直に下方に突出するようにして、バスダクト１０に対する箱体２の取付位置を規制する一対の規制部材９・９が設けられている。規制部材９は、その外面が両側壁２ｂ・２ｂと略面一になるように配置され、リベット等で底板２ａに取り付けられている。また、箱体２の前壁２ｃの下端側には、バスダクト分岐装置１をバスダクト１０に固定する一の固定部に対応する固定部材６が設けられており、固定部材６は、前壁２ｃから略垂直に前方に突出するように設けられ、リベット等で前壁２ｃに取り付けられている。また、箱体２の後壁２ｄの下端側には、バスダクト分岐装置１をバスダクトに固定する別の固定部に対応する固定補助部材７が設けられており、固定補助部材７は、後壁２ｄから略垂直に後方に突出するように設けられ、リベット等で後壁２ｄに取り付けられている。
【００３３】
箱体２の内部には、ブレーカー８が内装されており、ブレーカー８は、可撓性導線８１及び端子台８２を介して分岐用端子５と電気的に接続されている。バスダクト分岐装置１は、図には省略するが、ブレーカー８を介して箱体２の外に電源を分岐するようになっている。
【００３４】
ガイド部材３は、図２に示す形状であり、平板状の基部３１と、基部３１の両端縁を略直角に屈曲して延設されているガイド片３２・３２とを有し、図１に示すように、基部３１が箱体２の底板２ａに固定され、ガイド片３２・３２が下方向に延びるようにして箱体２に取り付けられる。ガイド片３２の前方辺は、基部３１の前方側辺３１ａから下方に延設され、その途中から前方へ屈曲して突出するようにしてフック状の係止部３２ａが形成され、係止部３２ａの先端から下方に屈曲延設されるようにして垂直辺３２ｂが形成されている（図２（ｂ）、（ｄ）参照）。
【００３５】
ガイド片３２の垂直辺３２ｂの最下端からは、底辺３２ｃが基部３１と略並行に延設されている。底辺３２ｃの中央付近には、両端部よりも上方向に凹んだ凹部３２ｇが形成されており、凹部３２ｇを跨いでガイド片３２の両面を覆うようにしてアース電極３３が設けられている。底辺３２ｃの後端からは、支持辺３２ｄが略垂直に上方向に延設され、支持辺３２ｄの上端からは、後方に凸状に膨らむ略円弧状の案内辺３２ｅが延設されている。案内辺３２ｅの上端からは、箱体支持辺３２ｆが基部３１と平行に後方へ延設され、箱体支持辺３２ｆの後端から上方に略直角に屈曲延設されて基部３１の後方側辺３１ｂに到達するようになっている。
【００３６】
ガイド部材３は、基部３１の上方向からの平面視において、係止部３２ａが基部３１から前方に突出した形状になっている（図２（ｃ）参照）。そして、図１に示すように、係止部３２ａ及び基部３１の一部が、箱体２の前端側である前壁２ｃから突出するように配置して、ガイド部材３が底板２ａの前側に固定されており、換言すればガイド部材３の一部が、箱体２の取付面の垂直方向視で、箱体２の外周から突出した位置に設けられている。そのため、後述するバスダクト１０へのバスダクト分岐装置１の取付作業時に、バスダクト１０のガイド孔とガイド片３２とを目視しながら取付作業を行うことが可能であり、容易に取付作業を行うことができるようになっている。
【００３７】
尚、ガイド部材３は、図２に示す形状、構成に限定されず、種々の形状、構成を取ることが可能であり、例えばアース電極３３を有しないガイド部材３としてもよく、又、係止部３２ａの先端から下方向に延設する垂直辺３２ｂの代わりに、係止部３２ａの先端から斜め下方向に延設する傾斜辺を有するガイド部材３としてもよい。また、ガイド部材３を複数設ける構成としてもよい。また、ガイド部材３の箱体前壁２ｃからの突出部位やその突出量は適宜変更可能である。また、ガイド部材３は、箱体２の後端側である後壁２ｄから突出するように設け、後述する固定部材６もガイド部材３の設置側である後端側に設ける構成としてもよい。
【００３８】
規制部材９は、バスダクト１０の長手方向をその長手方向とするようにして、箱体２の取付面の幅方向の両端にそれぞれ設けられ、その幅方向の両側から下方に突出するように設けられている。規制部材９は、図３に示す形状であり、長板状の基部９１と、基部９１の一端側から下方に屈曲して延設され、基部９１より長い長板状の延在部９２とを有し、基部９１と延在部９２とが断面視で略Ｌ字形になっている（図３（ｃ）参照）。図１に示すように、基部９１は、底板２ａの略前端から中程までの位置において、その外面が底板２ａの下面に沿うように配置される。延在部９２は、側壁２ｂの前端から中程までの位置において、基部９１の側壁２ｂの下端に沿った一端側から下方に屈曲して延設され、その外面が箱体２の側壁２ｂの外面とほぼ面一になるように配置される。延在部９２の高さは、ガイド部材３の高さや分岐用端子５が箱体２の底板２ａから突出する高さよりも高くなるように設定されており、作業時などに箱体２の底板２ａを床に向けて置く際に、ガイド部材３や分岐用端子５が床に直接触れることを防止可能であり、バスダクト分岐装置１の自重等によりガイド部材３や分岐用端子５が破損することを回避できるようになっている。
【００３９】
延在部９２の前端及び後端には、基部９１側に屈曲して規制板９３が延設されており、規制板９３は底板２ａの幅方向の内向きに屈曲するように配置される。一対の規制板９３・９３は、バスダクト分岐装置１をバスダクト１０に取り付ける際に、バスダクト１０を幅方向の両側から挟むようにして、バスダクト１０の両外側に当接するように配置される。延在部９２の両端に規制板９３を設け、規制板９３の幅を二つの規制部材９・９同士の間隔がバスダクト１０の厚み方向の長さよりも僅かに長くなるように設定することにより、バスダクト分岐装置１をバスダクト１０に取り付ける際、二つの規制部材９の間にバスダクト１０が入るようにバスダクト分岐装置１を配置するだけで、バスダクト分岐装置１の長さに関わらず、バスダクト１０に対してバスダクト分岐装置１を確実に平行に配置することができ、取り付けの作業性をより向上することが可能である。また、規制板９３の幅、規制部材９・９相互の間隔は、バスダクト分岐装置１をバスダクト１０に取り付ける際に、分岐用端子５を挿入すべき挿入口にガイド部材３などを誤挿入しない程度に取付位置を規制可能に設定されており、バスダクト分岐装置１の誤挿入やそれに伴う短絡を回避できるようになっている。
【００４０】
規制部材９における、延在部９２の下端のうち側面視で分岐用端子５の先端と重なる部分には、円弧状の切欠９２ａが設けられており、切欠９２ａにより、後述する接続ユニット１２に設けられている接続ボルトの頭と延在部９２との干渉を防止可能であると共に、側面側から分岐用端子５の先端を目視可能とし、バスダクト分岐装置１を取り付ける際の作業性を容易化している。
【００４１】
固定部材６は、図４に示す側面視略Ｚ字形の形状であり、ヒンジ６１と、箱体２の幅と同程度かそれ以下の幅を有する平板状で、その短辺方向の一端側にヒンジ６１が配置されるようにしてヒンジ６１と連結される固定基部６２と、短辺方向の他端側から屈曲して延設される固定板６３と、固定板６３の先端で屈曲して延設され、バスダクト１０への取付状態でバスダクト１０の被取付面側に突出する間隔保持部に対応する支持片６４とを有する。固定部材６は、図１に示すように配置され、ヒンジ６１及び固定基部６２は、箱体２の前後方向の前壁２ｃと後壁２ｄのうちガイド部材３が設けられているガイド部材３の設置側である前壁２ｃに沿うようにして配置され、ヒンジ６１が前壁２ｃの下側寄りの位置で前壁２ｃに固定されている。固定基部６２の他端側で略直角に屈曲する固定板６３は箱体２の前方に延設され、固定板６３の先端側で略直角に屈曲している支持片６４はバスダクト１０側となる下方に延設される。即ち、固定部材６と後述する固定部材６に取り付けられる固定具６５は、ガイド部材３の略上側で且つ外側方に突出するように設けられる。
【００４２】
ヒンジ６１は固定部材６を回転可能とし、固定部材６を上下方向に開閉可能としている。固定部材６は、下側に位置する開放状態において、固定板６３の下面と箱体２の底板２ａの下面とが、支持片６４の分だけ離間した状態でほぼ平行になるようにして、各部位の形状や寸法、配置が設定されている。固定部材６の固定基部６２、固定板６３、支持片６４は、例えば金属製の素材を折り曲げ加工して形成するが、プラスチックなどの高分子樹脂、木材、セラミックス等、他の素材やそれらの複合物により形成してもよく、特に、ある程度透明なプラスチックやガラスなどの素材とすると、固定部材６の裏側を透過して視認することが可能となり、より作業を容易化することができて好適である。更に、固定板６３は、先端寄りの位置で幅方向のほぼ中央付近に設けられた開口６３ａと、幅方向の両端寄りの位置に取付時の前後方向のほぼ中央付近に設けられた一対の長孔６３ｂ・６３ｂとを有し、長孔６３ｂは幅方向に長いサーキットトラック形状をしており、金属製の固定具６５が取付可能になっている。
【００４３】
固定具６５は、固定部材６と共に固定部を構成する。固定具６５は、図５に示す形状であり、平板状の基部６５１と、基部６５１の一端側から略直角に屈曲して延設される支持脚６５２と、基部６５１の他端側から斜め上方に屈曲して延設される挟持片６５３とを有し、基部６５１、支持脚６５２及び挟持片６５３は、全体として側面視で略コ字形に形成されている。基部６５１には、図示省略する孔部を下から上に貫通するボルト６６ａと、ボルト６６ａの螺子部に螺合されているナット６６ｂが設けられている。基部６５１の前記孔部及びボルト６６ａの根元部は、円形ではなく、例えば略多角形或いは略楕円形に形成されており、相互に回動しないように規制する回り止めを構成している。また、ボルト６６ａの螺子部には、図示省略する樹脂板や、ナット６６ｂとは別のナット等の抜止防止部材を設けると好適であり、抜止防止部材を設けることにより、ナット６６ｂが取り付けられていない状態で、基部６５１からボルト６６ａが抜け落ちることを防止することができる。
【００４４】
固定具６５は、固定板６３の長孔６３ｂにボルト６６ａを通すことで固定板６３に取り付けられ、２つの固定具６５・６５が固定板６３に取り付けられる。固定具６５は、長孔６３ｂに挿通されたボルト６６ａを軸にして固定板６３に対して回動自在であると共に、長孔６３ｂの幅の分だけ幅方向に移動可能であり、ナット６６ｂを螺合することにより固定板６３に対して固定される。この固定状態では、基部６５１は固定板６３と略平行に配置される。尚、本実施形態における固定部材６と固定具６５で構成される固定部の幅は、全体として箱体２の幅以下に設定することが可能である。
【００４５】
開放状態における固定部材６では、図６（ａ）に示すように、箱体２の前壁２ｃから突出しているガイド部材３の基部３１の上面の一部に、固定部材６の固定板６３の下面が当接するか、僅かに離間した状態で配置される。他方で、箱体２に対して閉じた閉塞状態、即ち変形状態である固定部材６では、図６（ｂ）に示すように、固定具６５と共に固定部材６が回転して上方向に持ち上げられる。前記閉塞状態により、バスダクト分岐装置１の取り付け作業時などに作業者にガイド部材３を明瞭に視認させることが可能になる。
【００４６】
固定部材６、或いは固定部材６と固定具６５で構成される固定部は、変形状態を維持する保持具に対応する結束紐６８により、変形状態（閉塞状態）で保持することが可能である。結束紐６８は、固定板６３の開口６３ａ及び取手２ｆに通され、まとめて結束することにより、固定部材６は変形状態で保持される。結束紐６８の保持により、バスダクト分岐装置１の移動作業時や取付作業時などに、箱体２に対して固定部材６がガタガタと勝手に開閉することを回避でき、作業性を格段に向上できる。
【００４７】
尚、結束紐６８には、例えばケーブルタイ、ビニタイ、ゴムなど適宜ものを用いることが可能である。また、固定部材６、或いは固定部材６と固定具６５で構成される固定部の変形状態を保持する保持具は、作業時に変形状態を保持可能な器具であれば結束紐６８以外にも適宜であり、例えば固定板６３に螺子やボルトを設け、前壁２ｃの孔に螺合する構成等による螺子若しくはボルト、又は、固定板６３に一方のテープを設け、前壁２ｃに他方のテープを設け、双方を着脱可能に貼り付ける構成等の粘着テープ若しくはマジックテープ（登録商標）、又は、固定板６３に一方の磁石を設け、前壁２ｃに逆極性の他方の磁石を設け、双方の磁石の磁力で保持する構成等の磁石、又は、前壁２ｃに設けられるフック状の引掛爪に固定板６３の孔を引っ掛ける構成等の引掛爪、又は、バネ材、チャック等とすることが可能である。
【００４８】
固定補助部材７は、図７に示す側面視略Ｚ字形の形状であり、箱体２の幅と同程度かそれ以下の幅を有する平板状の固定基部７１と、固定基部７１の取付時の上下方向の下端から屈曲して延設される固定板７２と、固定板７２の先端から屈曲して延設される支持片７３とを有する。固定補助部材７は、図１に示すように配置され、固定基部７１はガイド部材３の設置側の反対側である後壁２ｄに沿うように配置され、後壁２ｄの下側寄りの位置で固定される。固定基部７１の下端で略直角に屈曲する固定板７２は箱体２の後方に延設され、固定板７２の後端で略直角に屈曲する支持片７３はバスダクト１０側となる下方に延設される。固定補助部材７は、固定板７２の下面と箱体２の底板２ａの下面とが、支持片７３の分だけ離間した状態でほぼ平行になるようにして、各部位の形状や寸法、配置が設定されている。更に、固定板７２は、幅方向の両端側で取付時の前後方向のほぼ中央付近に設けられた一対の長孔７２ａ・７２ａとを有し、長孔７２ａは幅方向に長いサーキットトラック形状をしており、固定具６５が取付可能になっている。
【００４９】
固定補助部材７と固定具６５で構成される固定部は、固定部材６と固定具６５で構成される固定部を一の固定部とした場合の、一の固定部とは別の固定部に相当し、箱体２の前端側と後端側のうち前記一の固定部の設置側と反対側寄りに設けられる。
【００５０】
〔実施形態のバスダクト分岐装置のバスダクトへの取付及び分岐〕
次に、実施形態のバスダクト分岐装置１のバスダクト１０への取付、換言すればバスダクト分岐構造の組立について説明する。図８（ａ）は実施形態のバスダクト分岐装置とバスダクトの分離状態を示す側面図、図８（ｂ）はそのバスダクトの平面図、図９（ａ）は実施形態のバスダクト分岐装置におけるガイド部材の挿入状態を示す側面図、図９（ｂ）はその拡大説明図、図１０（ａ）、（ｂ）は実施形態のバスダクト分岐装置の固定部材による固定を説明する側面説明図、図１１（ａ）、（ｂ）は図１０の固定部材による固定を説明する一部縦断正面図である。
【００５１】
先ず、実施形態のバスダクト分岐装置１が取り付けられる本例のバスダクト１０について説明する。バスダクト１０は、図８〜図１１に示すように、接続すべきバスダクトユニット１１・１１を別体の接続ユニット１２を介して相互に接続する構成である。バスダクトユニット１１には、絶縁被覆された平板状の３相の導体１１１がその厚み方向に重ねて並設され、導体１１１の幅方向の両側に平面視略方形のパイプスペーサ１１２が配置されており、導体１１１及びパイプスペーサ１１２を断面視略コ字形の側板１１３・１１３で一括して挟持し、側板１１３に挿通したボルト１１４ａ、ナット１１４ｂ等を緊締して固定している。
【００５２】
側板１１３の上下両端縁には、導体１１１の厚さ方向の外向きに略直角に屈曲して第１補強部１１３ａが側方に延設され、第１補強部１１３ａの端縁には、導体１１１の幅方向の内向きに第２補強部１１３ｂが略直角に延設されており、バスダクトユニット１１の強度を高めている。パイプスペーサ１１２の導体１１１の幅方向の両側における面には、図８（ｃ）に示すように、山形のローレット溝１１２ａが複数刻まれており、ローレット溝１１２ａにより表面積を増やして放熱効果を高めている。また、ローレット溝１１２ａは、バスダクトユニット１１の幅方向の真ん中には刻まれておらず、このローレット溝１１２ａが刻設されていない領域は、バスダクトユニット１１の幅方向の中心を示す基準線として用いられる。
【００５３】
接続ユニット１２は、接続すべきバスダクトユニット１１・１１の対向配置される同相の導体１１１・１１１の絶縁被覆から露出した端部の厚さ方向の外面に沿って配置され、同相の導体１１１・１１１間を電気的に接続する導電性接続部材１２１と、導電性接続部材１２１で電気的に接続される異相の導体１１１・１１１間及び導電性接続部材１２１で電気的に接続される最外側の導体１１１とその外側に配置される接続側板１２３間を絶縁する絶縁セパレータ１２２と、これらを外方から挟持する接続側板１２３とを有し、これらを締着具１２４で締着してバスダクトユニット１１・１１を相互に接続する構成である。
【００５４】
接続ユニット１２と、接続ユニット１２に接続されるバスダクトユニット１１・１１の接続端部との導体１１１の幅方向の両側には、接続板１１５が設けられ、接続ユニット１２の導電性接続部材１２１、絶縁セパレータ１２２、接続側板１２３及びバスダクトユニット１１の側板１１３とパイプスペーサ１１２をまとめて覆い、バスダクト１０の接続部分を保護するようにして配置される。接続板１１５には、バスダクトユニット１１の第１補強部１１３ａに挿通したボルト１１６ａが挿通され、ナット１１６ｂを緊締する等によりバスダクトユニット１１に固定される。バスダクト１０に於いて、接続板１１５が取り付けられている部分では接続板１１５の外側の面が被取付面（バスダクト分岐装置１が取り付けられる面）となり、接続板１１５が取り付けられていない部分ではバスダクトユニット１１の側板１１３及びパイプスペーサ１２の外側で形成された面が被取付面となる。
【００５５】
また、一方の接続板１１５には、図８（ｂ）に示すように、ガイド開口として一対のガイド孔１１５ａ・１１５ａが、接続板１１５の幅方向の両端で且つ長手方向の一方側に形成されており、ガイド孔１１５ａは、一方のバスダクトユニット１１の上側に配置され、一方のバスダクトユニット１１よりも僅かに外側の位置に設けられている。更に、一方の接続板１１５には、接続ユニット１２内の導電性接続部材１２１に分岐用端子５が接触するようにして分岐用端子５を挿入する際の開口となる挿入口１１５ｂが設けられており、分岐に使用しない時には挿入口１１５ｂを開閉自在な蓋体１１５ｃで閉塞して保護している。尚、ガイド孔１１５ａは、例えば接続板１１５の幅方向の両端で且つ長手方向の両側にも設けると、バスダクト分岐装置１をバスダクト１０に取り付ける際の方向性を解消することができて好適である。また、ガイド孔１１５ａを対で設けずに単独で設ける構成、又は複数個あるいは複数対設ける構成としてもよい。
【００５６】
実施形態のバスダクト分岐装置１でバスダクト１０から分岐を取る場合には、図８に示すように、接続ユニット１２の近傍にバスダクト分岐装置１を配置する。配置されるバスダクト分岐装置１は、固定部材６及び固定具６５で構成される固定部を箱体２の前壁２ｃ側に回転して持ち上げ、バスダクト１０の被取付面から離れる方向に変形した状態（閉塞状態）とし、固定部材６に取り付けられている結束紐６８を取手２ｆに結束して変形状態を維持している。前記変形状態とする工程は、バスダクト分岐装置１をバスダクト１０に取り付ける前の適宜の時点で行うことが可能である。
【００５７】
そして、図９に示すように、一対の規制部材９・９によって箱体２の取付経路が規制されながら箱体２をバスダクト１０に近付け、接続板１１５のガイド孔１１５ａに、固定部材６の下側に設けられているガイド部材３のガイド片３２を挿入して導入し、ガイド片３２の突出した係止部３２ａをガイド孔１１５ａの係止縁に引っ掛ける。ガイド孔１１５ａへのガイド片３２の導入により、箱体２の位置或いは取付経路を正確に規制しながら、箱体２の取付面をバスダクト１０の被取付面に配置するように移動し、箱体２を取付位置に案内する。
【００５８】
係止部３２ａをガイド孔１１５ａの係止縁に引っ掛かけた状態まで導入すると、図１０（ａ）に示すように、ガイド部材３を軸にして、より詳細には係止部３２ａとガイド孔１１５ａの係止縁を軸にして箱体２がバスダクト１０に沿う状態になるまで回動し、分岐用端子５が接続ユニット１２内の導電性接続部材１２１に電気的に接続されるように挿入されると共に、箱体２の幅方向両側に設けられている取付部材４がバスダクトユニット１１の第２補強部１１３ｂに係止され、バスダクト分岐装置１がバスダクト１０に簡易的に固定されて取り付けられる。前記取付部材４は、フック状の取付部４１を弾性バネで内方に常時付勢しており、第１補強部１１３ａと第２補強部１１３ｂとの境界近傍領域に対する当接で取付部４１が外方に移動し、第２補強部１１３ｂを乗り越えた取付部４１が前記付勢で第２補強部１１３ｂに係合するようになっている。このようにしてバスダクト分岐装置１は、バスダクト１０に物理的にも電気的にも取り付けられた取付状態となる。
【００５９】
尚、ガイド部材３のガイド片３２において、ガイド孔１１５ａに挿入されてバスダクト１０にバスダクト分岐装置１が取り付けられた際に、接続板１１５によって外方から隠される部分に対し、目立つような色のテープを貼着したり塗料を塗布したりすると、ガイド孔１１５ａへのガイド片３２の挿入の成否が色によって判断できるようになり、より作業が容易になる。
【００６０】
また、ガイド開口は本実施形態のガイド孔１１５ａに限定されず、例えば切欠、凹部、留め金等、ガイド部材３を挿入、係合、嵌合、引っ掛ける等により、導入されるガイド部材３を案内可能なものであれば適宜であり、その形状も特に限定されない。また、ガイド片３２は、接続ユニット１２の幅方向の端部に位置して開口されているガイド孔１１５ａに挿入されているため、バスダクト１０の通電に影響しない。
【００６１】
前記規制しての配置により、分岐用端子５の位置を目視確認せずともバスダクト１０に分岐用端子５を挿入することが可能である。また、この箱体２の取付面のバスダクト１０の被取付面への配置時或いは配置後に於いて、固定部材６又は固定部材６と固定具６５で構成される固定部は、バスダクト１０の被取付面から離間する変形状態であるため、固定部材６や固定具６５がバスダクト１０に干渉して、ガイド部材３の導入や分岐用端子５の挿入を阻害する事態を回避することができ、バスダクト分岐装置１の取付作業を容易に行うことができる。また、ガイド孔１１５ａへのガイド片３２の導入部分を作業者が容易に視認することが可能であり、その点においても、取付作業を容易に行うことができる。
【００６２】
因みに、バスダクト分岐装置１を予め変形状態としていない場合でも、ヒンジ６１によって固定部材６又は固定部材６と固定具６５で構成される固定部が回動可能であるため、箱体２の導入角度に応じて固定部材６又は固定部がバスダクト１０の被取付面に押されて回転して傾くので、固定部材６又は固定部が開閉しない構成に比してバスダクト分岐装置１の取付作業が容易である。また、手などで固定部材６又は固定部を容易に持ち上げ、被取付面から離間した変形状態にすることが可能であるため、作業者は、ガイド孔１１５ａへのガイド片３２の導入部分を視認したい場合に固定部材６又は固定部を持ち上げて視認することができ、その点においても、固定部材６又は固定部が開閉しない構成に比してバスダクト分岐装置１の取付作業が容易になる。尚、ガイド孔１１５ａへのガイド片３２の導入部分は、二つとも視認可能とすると好適であるが、二つのうちの少なくとも一方を作業者に視認させることができる構成とすればよく、一方のガイド片３２のガイド孔１１５ａへの導入により、その導入した側を基準としてもう一方も容易に導入することが可能である。
【００６３】
その後、バスダクト分岐装置１は、図１０（ａ）に示すバスダクト１０に取り付けられた取付状態に於いて、工具等によって結束紐６８の結束を外し、固定部材６或いは固定部材６と固定具６５で構成される固定部を変形状態から復帰する工程を行う。前記復帰工程では、図１０（ｂ）に示すように、固定部材６又は固定部材６及び固定具６５で構成される固定部が開放され、箱体２の前壁２ｃから突出しているガイド部材３の基部３１の上面の一部に固定板６３の下面が当接する位置まで回動し、換言すれば、図１１（ａ）に示すように、両側の固定具６５・６５の間にバスダクト１０の接続板１１５が配置される位置まで回動し、箱体２に対する開放状態となる。
【００６４】
前記開放状態に於いて、固定具６５のボルト６６ａ及びナット６６ｂを緩め、図１０（ｂ）及び図１１（ｂ）に示すように、固定具６５の挟持片６５３に、バスダクトユニット１１の第２補強部１１３ｂを乗り越えさせる。そして、固定板６３の長孔６３ｂ内を固定具６５を移動させて、支持脚６５２の上端と固定板６３の裏面とが当接する位置まで固定板６３の幅方向内側に移動させ、固定板６３の先端の支持片６４と固定具６５の挟持片６５３とによって第１補強部１１３ａと側板１１３を挟持するようにする。更に、ボルト６６ａおよびナット６６ｂを締結し、箱体２の前壁２ｃから突出しているガイド部材３の基部３１の上面の一部を固定板６３でバスダクト１０側に押圧して、バスダクト分岐装置１をバスダクト１０に固定する。換言すれば、固定部材６と固定具６５で構成される固定部が、ガイド部材３の突出部分をバスダクト１０の被取付面側に押し付けるようにして、箱体２をバスダクト１０に固定する。前記固定状態では、支持脚６５２が支点、ボルト６６ａおよびナット６６ｂが力点、挟持片６５３が作用点となってバスダクト分岐装置１がバスダクト１０に固定される。
【００６５】
前記固定状態では、固定具６５において基部６５１に対して挟持片６５３が斜めに設けられていることにより、図１１（ｂ）に示すように、側板１１３と第１補強部１１３ａとの境界である角部分の内側に挟持片６５３の先端を当接させ、側板１１３と第１補強部１１３ａとの両方に挟持片６５３の先端が当接させることが可能である。前記構成により、固定に要する力が側板１１３と第１補強部１１３ａとに分散させ、力が一方にだけにかかる場合に比して、変形等の不具合を起こす事態を回避できる。
【００６６】
尚、本実施形態の固定具６５は、全体として略コ字型の形状としたが、別の形状でもよく、例えば、支持脚６５２が無いものとしてもよい。その場合、固定部材６の固定板６３の幅方向の下方に、少なくともバスダクトユニット１１の第２補強部１１３ｂよりも高い固定壁を設けてやれば、支持脚６５２が無い固定具６５でも上記と同様に固定することができる。また、挟持片６５３の先端に断面視円形のゴム部材などを設けてもよく、これにより、より密着した固定が得られる。また、固定具６５は、ボルト６６ａの頭部分を、バスダクトユニット１１の第２補強部１１３ｂや接続板１１５の端の部分にかかる程度に、幅方向で内側に寄せて固定すると好適であり、これにより固定時の安定性が一層増すことができる。
【００６７】
また、固定補助部材７の固定では、固定補助部材７に取り付けられている固定具６５のボルト６６ａ及びナット６６ｂを緩め、図１０（ｂ）に示すように、固定具６５の挟持片６５３に、バスダクトユニット１１の第２補強部１１３ｂを乗り越えさせる。そして、固定板７２の長孔７２ａ内を固定具６５を移動させて、支持脚６５２の上端と固定板７２の裏面とが当接する位置まで固定板７２の幅方向内側に移動させ、固定板７２の先端の支持片７３と固定具６５の挟持片６５３とによって第１補強部１１３ａと側板１１３を挟持するようにする。更に、ボルト６６ａおよびナット６６ｂを締結し、バスダクト分岐装置１をバスダクト１０に固定する。尚、バスダクト１０へのバスダクト分岐装置１の固定では、固定部材６及び固定具６５で構成される固定部の固定で必要な強度を得ることが可能であるが、更に固定補助部材７及び固定具で構成される別の固定部で固定することにより、一層強固に固定することが可能となる。
【００６８】
上記バスダクト分岐装置１のバスダクト１０に対する固定に於いては、その固定状態に於ける固定具６５を含む固定部材６や固定補助部材７の幅が、箱体２の幅と同程度かそれ以下の幅となるように設定され、換言すれば、固定部材６と固定具６５で構成される固定部の幅、固定補助部材７と固定具６５で構成される別の固定部の幅が、箱体２の幅と同程度かそれ以下の幅となるように設定されており、箱体２の側方に突出しないように設けられている。前記構成により、複数のバスダクト１０を並列施工するような場合に、バスダクト分岐装置１の取付により隣り合うバスダクト１０・１０間のスペースを狭めてしまうような事態を回避することが可能であり、取付時の作業性を向上することができる。
【００６９】
また、前記固定状態では、図１０に示すように、固定部材６の支持片６４の高さだけ固定板６３がバスダクト１０の被取付面から離間し、バスダクトユニット１１の第１補強部１１３ａに挿通したボルト１１６ａを固定板６３で押圧しないように構成されている。前記構成により、ボルト１１６ａに阻害されてバスダクト分岐装置１をバスダクト１０に固定できない事態や、固定板６３の押圧でボルト１１６ａが破損することを防止でき、バスダクト分岐装置１をバスダクト１０に確実に且つ安定的に固定することができる。また、固定補助部材７の固定板７２及び支持片７３も同様に構成されているため、同様の効果を得ることが可能である。尚、固定補助部材７の固定部材６に対応する構成は固定部材６と同様の効果を奏するものである。また、前記固定状態では、固定具６５のボルト６６ａとナット６６ｂとが固定板６３、７２の外側に設けられ、その外側でボルト６６ａの軸部にナット６６ｂが螺合されている構成により、固定具６５を固定する際、工具などをバスダクト１０の側方から挿し入れる事態を回避でき、複数のバスダクト１０を並列施工するような場合に作業性を大きく向上できる。
【００７０】
実施形態のバスダクト分岐装置１は、固定部材６及び固定具６５で構成される固定部をバスダクト１０の被取付面から離間可能であり、バスダクト１０への取付時に、バスダクト１０のガイド孔１１５ａへのガイド部材３のガイド片３２の導入部分を被取付面に対向する方向に露出し、作業者に容易且つ明瞭に視認させることができると共に、取付後において固定部材６及び固定具６５で構成される固定部によってバスダクト１０に確実に固定される。即ち、バスダクト分岐装置１は、取り付けにおける作業性と確実性とを、固定部材６或いは固定部が開閉する簡単な構成で両立することができる。また、箱体２の前壁２ｃから突出するガイド部材３の基部３１の上面の一部を固定板６３でバスダクト１０側に押圧して固定することにより、押圧に対する横ズレ等をガイド部材３とガイド孔１１５ａとの係合によって規制しつつ固定し、より確実にバスダクト１０に固定できる。
【００７１】
また、バスダクト分岐装置１をバスダクト１０に斜めに挿入して取り付ける際に、固定部材６或いは固定部が開閉（変形）することにより、固定部材６が取付作業を阻害することを防止し、その点においてもバスダクト分岐装置１の取り付けにおける作業性をより向上できる。また、結束紐６８によって固定部材６或いは固定部を予め持ち上げた状態（バスダクト１０の被取付面から離間した閉塞状態、変形状態）に維持できるため、固定部材６或いは固定部がバスダクト１０に干渉して取付作業を阻害することを防止し、固定部材６或いは固定部を持ち上させるような作業を作業者に強いることもないので、より一層取付作業を容易にしている。
【００７２】
〔実施形態のバスダクト分岐装置の変形例等〕
上記実施形態のバスダクト分岐装置１では、ヒンジ６１を有する固定部材６を用いたが、本発明の固定部材はこれに限定されず、例えば図１２及び図１３に示す第１変形例の固定部材２００等を用いてもよい。固定部材２００は、図１２に示す側面視略Ｚ字形の形状であり、箱体２の幅と同程度かそれ以下の幅を有する固定基部２０１と、その短辺方向の他端から屈曲して延設される固定板２０２と、固定板２０２の先端で屈曲して延設され、バスダクト１０に取り付けられた状態でバスダクト１０の被取付面側に突出する間隔保持部に対応する支持片２０３とを有する。固定部材２００では、図１３に示すように、箱体２に対する開放状態において、固定基部２０１が、箱体２の前壁２ｃの下端側（底板２ａ側）に前壁２ｃに沿うように配置され、固定板２０２は、その固定基部２０１の下端側から略直角に屈曲して前方に延設されている。支持片２０３はバスダクト１０側となる下方に延設される。
【００７３】
固定部材２００は、下側に位置する開放状態において、固定板２０２の下面と箱体２の底板２ａの下面とが、支持片２０３の分だけ離間した状態でほぼ平行になるようにして、各部位の形状や寸法、配置が設定されている。また、固定基部２０１のほぼ中央には、開口２０１ａが設けられている。更に、固定板２０２は、先端寄りの位置で幅方向のほぼ中央付近に設けられた開口２０２ａと、幅方向の両端寄りの位置に取付時の前後方向のほぼ中央付近に設けられた一対の長孔２０２ｂ・２０２ｂとを有し、長孔２０２ｂは幅方向に長いサーキットトラック形状をしており、固定具６５が取付可能になっている。
【００７４】
固定部材２００は、例えば略Ｕ字形のレール部材２１０を箱体２の前壁２ｃに取り付け、その開口２０１ａにレール部材２１０を挿入し、レール部材２１０を介して箱体２の前壁２ｃに取り付けられる。固定部材２００の開放状態では、図１３（ａ）に示すように、箱体２の前壁２ｃから突出しているガイド部材３の基部３１の上面の一部に固定部材２００の固定板２０２の下面が当接するか、或いは僅かに離間して近接する。また、閉塞状態とする際には、図１３（ｂ）に示すように、固定部材２００或いは固定部材２００及び固定具６５で構成される固定部の全体を、レール部材２１０にそって回転しつつ上方に移動（変形）し、結束紐６８を開口２０２ａ及び取手２ｆに通してまとめて結束することで閉塞状態（変形したままの状態）に保持する。
【００７５】
本例の固定部材２００或いは固定部材２００による固定部では、レール部材２１０がヒンジ６１に代替し、固定部材６による固定部と同様の効果を得ることができる。また、ヒンジ６１の羽板が、一方を前壁２ｃに取り付け、他方を固定部材６に取り付けるのに対し、レール部材２１０は、前壁２ｃだけに取り付け、固定部材２００には開口２０１ａを設けるだけで済むため、比較的容易に製造可能となる。また、固定部材２００とレール部材２１０との構成では、レール部材２１０の形状を選定することにより、固定部材６に比べてバスダクト分岐装置１の上方に固定部材２００を移動させることが可能であり、作業性をより向上することができる。
【００７６】
尚、レール部材２１０はＵ字形状の２点で前壁２ｃに取り付けて高い強度を確保してもよいし、１点で前壁２ｃに取り付けて製造コストを低減するようにしてもよい。また、レール部材２１０はＵ字形状に限らず、矩形などの他の形状でもよいし、上端や下端が開放されたＪ字形形状としてもよく、その場合、固定部材２００はバスダクト分岐装置１から取り外し可能になる。また、第１変形例で特に言及しない箇所は、実施形態のバスダクト分岐装置１の対応する構成と同様であり、後述する変形例についても同様である。
【００７７】
また、固定部材２００には更なる変形を施すことが可能である。  図１４（ａ）〜（ｄ）は第２変形例〜第５変形例の固定部材を示す図である。第２変形例では、図１４（ａ）の三面図に示すように、箱体２の前壁２ｃに取り付けられる平板状の基部２１０ａの下端に断面視で円弧状のレール部２１０ｂが２つ形成されているレール部材２１０を有し、固定部材２００に、レール部材２１０のレール部２１０ｂに対応した開口２０１ａを２つ形成し、各開口２０１ａに各レール部２１０ｂを挿通し、２つのレール部２１０ｂをガイドとして固定部材２００或いは固定部材２００と固定具６５で構成される固定部を回転移動して変形する。レール部２１０ｂ及び開口２０１ａは２つ以外の適宜の３つ、４つなど適宜の複数個とすることが可能である。第２変形例は、複数のレール部２１０ｂをガイドとして固定部材２００を回転移動して変形することにより、移動後の固定部材２００を比較的安定に保持することができる。
【００７８】
また、第３変形例では、図１４（ｂ）の三面図に示すように、１つの固定部材２００に対して、箱体２の前壁２ｃに取り付けられる平板状の基部２１０ａの下端に断面視で円弧状のレール部２１０ｂが１つ形成されているレール部材２１０を２つ設け、固定部材２００に、各レール部材２１０のレール部２１０ｂに対応した開口２０１ａを２つ形成し、各開口２０１ａに各レール部２１０ｂを挿通し、各レール部材２１０のレール部２１０ｂをガイドとして固定部材２００或いは固定部材２００と固定具６５で構成される固定部を回転移動して変形する。レール部材２１０及び開口２０１ａは２つ以外の適宜の３つ、４つなど適宜の複数個とすることが可能である。また、第３変形例の固定部材２００には、例えば二対など複数対の長孔２０２ｂが固定板２０２の取付時の前後方向に位置をずらして設けられており、複数対の長孔２０２ｂに固定具６５を取り付けて固定力を高めることが可能であると共に、被固定側である第１補強部１１３ａや側板１１３の表面の状態（例えば、ビスやラベルが設けられている状態）に応じ、固定具６５の取付位置を選択することが可能である。
【００７９】
また、第４変形例では、図１４（ｃ）の三面図に示すように、箱体２の前壁２ｃに取り付けられる平板状の基部２１０ａの下端に断面視で比較的大きな円弧状のレール部２１０ｂが２つ形成されているレール部材２１０を有し、固定部材２００に、レール部材２１０のレール部２１０ｂに対応した開口２０１ａを２つ形成し、各開口２０１ａに各レール部２１０ｂを挿通し、２つのレール部２１０ｂをガイドとして固定部材２００或いは固定部材２００と固定具６５で構成される固定部を回転移動して変形する。レール部２１０ｂ及び開口２０１ａは２つ以外の適宜の３つ、４つなど適宜の複数個とすることが可能である。第４変形例は、レール部２１０ｂの大きさの分だけ固定部材２００を上方により大きく回転移動して変形させることが可能となり、作業性をより向上できる。また、第４変形例の固定部材２００は、固定板２０２の前端側（支持片２０３側）の中央や、固定板２０２の後端側（固定基部２０１側）の両端が切り欠かれており、取り付けの前後において、被取付面の状態やガイド部材３をガイド孔１１５ａに挿入する部分を作業者が視認し易くなっている。
【００８０】
また、第５変形例では、図１４（ｄ）の三面図に示すように、箱体２の前壁２ｃに取り付けられる横長平板状の基部２１０ａの両側下端に、断面視で略矩形状のレール部２１０ｂが２つ形成されているレール部材２１０を有し、固定部材２００を一対設け、各固定部材２００に、レール部材２１０のレール部２１０ｂに対応した開口２０１ａを形成し、各開口２０１ａに各レール部２１０ｂを挿通し、２つのレール部２１０ｂをガイドとして固定部材２００或いは固定部材２００と固定具６５で構成される固定部を回転移動して変形する。第５変形例は、レール部材２１０の両端で一対の固定部材２００が別部材として設けられているため、例えば、段差があるため均一な高さで形成されていない状態など被取付面の状態に左右されずに、確実な固定が可能である。また、一対の固定部材２００の間には、被取付面を隠す部材が存在しないため、取り付けの前後において、被取付面の状態やガイド部材３をガイド孔１１５ａに挿入する部分を作業者が視認し易くなっている。
【００８１】
また、本発明の固定部材は、例えば図１５及び図１６に示す第６変形例の固定部材３００としてもよい。固定部材３００は、箱体２の前壁２ｃの幅と同程度の幅を有する長板状の固定基部３０１と、固定基部３０１の一端側から鋭角に屈曲して延設される固定板３０２と、固定基部３０１のほぼ中央に設けられているバネ部材３０３と、固定板３０２の先端から斜めに傾斜して屈曲されている支持片３０４とを有し、固定基部３０１、固定板３０２及び支持片３０４は断面視略Ｚ字形に形成されている。バネ部材３０３は、ボルト及びナットで形成されたバネ押え具３０３ａと、バネ押え具３０３ａのボルト螺子部の外側に周設されるようにして保持されるバネ３０３ｂとから構成される。固定基部３０１のほぼ中央には図示省略する開口が形成され、この開口を貫通するようにバネ部材３０３のバネ押え具３０３ａが挿通されている。また、固定板３０２には、幅方向の両端側で前後方向のほぼ中央付近に設けられた一対の長孔３０２ａ・３０２ａが形成されており、長孔３０２ａは、固定部材３００の幅方向に長いサーキットトラック形状をしており、上述した固定具６５が取付可能になっている。
【００８２】
固定部材３００は、その固定基部３０１を箱体２の前壁２ｃの下端側（底板２ａ側）に配置され、バネ部材３０３の固定基部３０１の外側に位置する一方端（バネ押え具３０３ａの一方端）を箱体２の前壁２ｃに取り付けて、バスダクト分岐装置１に取り付けられる。前記取り付けた状態では、図１６（ａ）に示すように、バネ押え具３０３ａの他方端と固定基部３０１との間に位置するバネ３０３ｂが固定基部３０１を前壁２ｃ側に付勢し、バネ部材３０３のバネ力で固定基部３０１が前壁２ｃに密着するように固定部材３００が変形して配置され、その状態が保持される。即ち、バネ部材３０３或いはバネ３０３ｂが変形状態を保持する保持具となる。変形状態（閉塞状態）における固定板３０２は、固定基部３０１の下端側から上方に鋭角に屈曲して延設され、底板２ａが形成する面から離間している。
【００８３】
そして、固定部材３００を、バネ部材３０３のバネ力を上回る力で押圧すると、図１６（ｂ）に示すように、固定板３０２の下面と箱体２の底板２ａの下面とが、僅かに離間した状態でほぼ平行になるように近づき、箱体２の前壁２ｃから突出しているガイド部材３の基部３１の上面の一部に固定部材３００の固定板３０２の下面が当接するか、僅かに離間した状態となり、開放状態となる。前記変形から復元した開放状態の固定部材３００は、固定具６５によりバスダクト１０に固定される。第６変形例では、バネ部材３０３を用いると共に固定時には固定具６５で押圧することにより、上記実施形態の固定部材６とほぼ同様の効果を得ることが可能である。
【００８４】
また、上記実施形態では、固定部材６がヒンジ６１を介してバスダクト分岐装置１に設けられている構成について説明したが、ヒンジ６１に代えて、シート状の部材や紐部材、蛇腹部材等を介して取り付けるようにしてもよい。また、これらの部材を用いる場合には、固定部材６をバスダクト分岐装置１とは別に用意し、バスダクト分岐装置１をバスダクト１０に取り付けた後に、固定部材６をこれらの部材等でバスダクト分岐装置１に取り付け、バスダクト１０を固定することも可能である。これらのバスダクト分岐構造の構成でも、上記実施形態とほぼ同様の効果を得ることが可能である。
【００８５】
また、上記実施形態では、ガイド部材３を設置しているガイド部材３の設置端側の前壁２ｃに開閉機構を有する固定部材６を設け、その反対側の後壁２ｄには開閉機構を有しない固定補助部材７を設ける構成について説明したが、ガイド部材３の設置端側と反対側の後壁２ｄにも固定部材６或いはヒンジで開閉する構成の固定補助部材７など開閉機構を有する固定部材を設置するようにしてもよい。即ち、ガイド部材３の設置側に設ける一の固定部と、その反対側に設ける別の固定部の双方が、開閉機構を有する固定部材による構成とする。
【００８６】
また、上記実施形態では、箱体２の前壁２ｃから突出するガイド部材３の基部３１の上面の一部を固定部材６で押圧し、バスダクト分岐装置１をバスダクト１０に固定する構成について説明したが、固定部材６で押圧するガイド部材３の箇所は限定されず適宜であり、又、ガイド部材３と固定部材６の位置関係も特に限定しない。更に、ガイド部材３の一部を固定部材６で押圧しない構成や、ガイド部材３の一部を押圧せずガイド部材３を介さずに固定部材６でバスダクト分岐装置１を固定する構成としてもよい。この場合にも上記実施形態と同様に、バスダクト分岐装置１は、固定部材６或いは固定部が開閉してバスダクト１０の被取付面から離間可能なため、バスダクト１０への取付時にはバスダクト１０のガイド孔１１５ａへのガイド部材３（ガイド片３２）の導入を作業者が容易に視認することができ、又、バスダクト分岐装置１の取付後には固定部材６によって確実な固定が可能である。バスダクト分岐装置１の取付における作業性と確実性を、固定部材６が開閉するという簡易な構成で両立することができる。また、固定部材６による固定にガイド部材３を介在させない構成では、ガイド部材３を設けない構成とすることも可能である。
【００８７】
また、上記実施形態では、箱体２の前壁２ｃからガイド部材３の基部３１が突出するようにした構成について説明したが、箱体２に対するガイド部材３の位置関係は限定されず適宜であり、基部３１が前壁２ｃから突出していなくてもよい。そのような場合でも、固定部としての固定部材６や固定具６５がバスダクト１０の被取付面から離れる方向に変形するため、バスダクト分岐装置１のバスダクト１０への取付時には、作業者が前壁２ｃ側の斜め上方や側方からガイド部材３とガイド孔１１５ａを視認しながらガイド部材３をガイド孔１１５ａに挿入できるので、優れた作業性を有する。
【００８８】
また、上記実施形態では、固定部材６の固定に略コ字形の固定具６５を用いる構成について説明したが、他の形状の固定具を用いても良く、更には、単純なボルト固定やリベット固定、溶接固定等を用いることも可能であり、固定部材６をバスダクト１０に固定する構成は特に限定しない。
【００８９】
また、上記実施形態では、バスダクト分岐装置１を回転しながらバスダクト１０に取り付ける構成について説明したが、バスダクト１０に対して垂直にバスダクト分岐装置１を取り付けるようにしてもよい。また、この場合、バスダクト分岐装置１の取り付けにおける作業性をある程度犠牲にしてもよい場合であれば、固定部材の開閉機構を設けないことも可能であり、その場合にも、箱体２の前壁２ｃから突出しているガイド部材３の基部３１の上面の一部を固定部材で押圧することにより、押圧に対する横ズレ等をガイド部材３とガイド孔１１５ａとの係合によって規制しつつ固定でき、確実にバスダクト１０に固定できる。
【００９０】
また、開閉機構を有しない固定部材の場合、或いは必要に応じて開閉機構を有する固定部材の場合に、ガイド部材３のガイド片３２が斜め上方など上方や側方から視認できるように、固定部材に窓を設ける構成としてもよい。例えば図１７（ａ）の第７変形例の固定部材４００では、バスダクト１０への取付時に、ガイド孔１１５ａへのガイド部材３（ガイド片３２）の導入部分を被取付面に対向する方向に露出可能な一対の楕円形状の窓４５０を固定板４０２に設ける構成とする。前記窓４５０を設けることにより、例えば開閉機構を有しない固定部材４００を用いる場合に、バスダクト１０への取付時において、ガイド部材３をガイド孔１１５ａに挿入する部分を窓４５０を介して作業者が視認することができ、バスダクト分岐装置１の取り付けにおける良好な作業性を確保することができる。固定部材４００における支持片４０３は、上記実施形態の固定部材６の支持片６４とは異なり、固定板４０２の前端ではなく長さ方向の中程から前端寄りに設けられている。
【００９１】
また、図１７（ｂ）の第８変形例の固定部材５００では、バスダクト１０への取付時に、ガイド孔１１５ａへのガイド部材３（ガイド片３２）の導入部分を被取付面に対向する方向に露出可能な大きな矩形の窓５５０を固定板５０２に設ける構成とする。前記窓５５０を設けることにより、バスダクト分岐装置１の取り付けにおける良好な作業性を確保することができる。固定部材５００における支持片５０３は、上記実施形態における固定部材６の支持片６４の下端を略直角に屈曲して前方に延設した形状であり、前記形状により、接触面積が大きくなることで安定して固定可能となっている。
【００９２】
また、図１７（ｃ）の第９変形例の固定部材６００では、バスダクト１０への取付時に、ガイド孔１１５ａへのガイド部材３（ガイド片３２）の導入部分を被取付面に対向する方向に露出可能な一対の矩形の窓６５０を固定板６０２の幅方向の両端に切り欠いて設ける構成とする。前記窓６５０を設けることにより、バスダクト分岐装置１の取り付けにおける良好な作業性を確保することができる。固定部材６００には、上記実施形態の固定部材６の支持片６４と同様の第１支持片６０３とは別に、窓６５０を切り欠いた際の部材を長さ方向に屈曲することで形成した一対の第２支持片６０４が設けられている。第１支持片６０３と第２支持片６０４とで固定部材６００を支えることになり、より安定した固定が可能になっている。
【００９３】
また、図１７（ｄ）の第１０変形例の固定部材７００では、バスダクト１０への取付時に、ガイド孔１１５ａへのガイド部材３（ガイド片３２）の導入部分を被取付面に対向する方向に露出可能な一対の矩形の窓７５０を固定板７０２の幅方向の両端に切り欠いて設ける構成とする。前記窓７５０を設けることにより、バスダクト分岐装置１の取り付けにおける良好な作業性を確保することができる。固定部材７００には、上記実施形態の固定部材６の支持片６４の下端を略直角に屈曲して後方に延設した形状である第１支持片７０３が設けられていると共に、窓７５０を切り欠いた際の部材を幅方向の内側に屈曲して形成した一対の第２支持片７０４が設けられている。固定部材７００では、第１支持片７０３と第２支持片７０４とで固定部材７００を支えることになり、より安定して固定可能となっている。
【００９４】
また、図１７（ｅ）の第１１変形例の固定部材８００では、小さな方形状の窓８５０を固定板８０２上の縦横に配列して網状に形成する構成とする。窓８５０により、バスダクト分岐装置１の取り付けにおける良好な作業性を確保することができると共に、固定部材８００の強度を全体として均一にすることができる。固定部材８００には、上記固定部材５００の支持片５０３（図１７（ｂ）参照）と同形状の支持片８０３が設けられ、その下面にゴムや不織布でなる緩衝シート８６０が設けられており、固定によってバスダクト１０の被取付面に傷がついたり、固定後にガタツキなどが発生することを確実に防止できる。
【００９５】
また、図１７（ｆ）の第１２変形例の固定部材９００では、細長で縦長な窓９５０を固定板９０２上に配列してスリット状に形成する構成とする。前記窓９５０を設けることにより、バスダクト分岐装置１の取り付けにおける良好な作業性を確保することができる。固定部材９００には、バスダクト１０への取付状態でバスダクト１０の被取付面側に突出する間隔保持部として、固定板９０２に貫通して下方に突出する支持ネジ９０３が設けられており、支持ネジ９０３を回動することで固定板９０２と被取付面との間隔を調整することができ、被取付面の状況（ボルトの高さなど）の変化に対応可能となっている。尚、窓４５０、窓５５０、窓６５０、窓７５０、窓８５０、窓９５０の形状、位置、個数は特に限定せず、これれの窓に必要に応じて網状体や透明のプラスチックなどをはめ込む構成とすることも可能である。
【００９６】
また、上記実施形態では、固定部材６の先端に支持片６４を設ける構成について説明したが、支持片６４を設けない構成とすることも可能であり、その場合には、固定板６３と干渉しない位置にボルト１１６ａを設ける構成や、固定板６３の中でボルト１１６ａに対応する部分を切除する構成で適応することが可能である。
【００９７】
また、別の変形例として、図１８に第１３変形例の固定部材２００を示す。第１３変形例では、図１４（ａ）の第２変形例ではレール部材２１０ｂが２つ設けられているのに対し、平板状の基部２１０ａの下端にレール部材２１０ｂが１つだけ設けられており、開口２０１ａが横長で１つ設けられている。本例では、図１４（ａ）の第２変形例に比して開口２０１ａの数が少なくて済むので、全体として容易に製作することができる。また、レール部材２１０ｂを太く形成すれば、第２変形例に比して強度が低下することを克服することができる。
【００９８】
以上、実施形態や変形例のバスダクト分岐装置１について説明したが、本発明はこれに限定されず、実施形態や変形例の各構成を部分的に抽出して構成した形態や、その一部又は全部を任意に抽出して組み合わせて構成した形態や、各構成を適宜変更した形態についても広く包含するものである。例えば、固定補助部材７、取付部材４、規制部材９の少なくとも一つを有しないバスダクト分岐装置１とすることが可能であり、又、バスダクト１０の導体１１１の数や、ガイド部材３の形状、箱体２に固定部材６を取り付ける位置等は適宜変更可能である。また、実施形態の固定部材６に対し、変形例の窓４５０、窓５５０、窓６５０、窓７５０、窓８５０、窓９５０や、支持片４０３、支持片５０３、支持片６０３、支持片７０３、支持片８０３（含む緩衝シート８６０）、支持片９０３を設けるようにしてもよい。
【産業上の利用可能性】
【００９９】
本発明はバスダクトの分岐に利用することができる。
【図面の簡単な説明】
【０１００】
【図１】（ａ）は実施形態のバスダクト分岐装置の平面図、（ｂ）はその正面図、（ｃ）はその側面図。
【図２】（ａ）は実施形態のバスダクト分岐装置におけるガイド部材の正面図、（ｂ）はその側面図、（ｃ）はその平面図、（ｄ）はそのＡ−Ａ線断面図。
【図３】（ａ）は実施形態のバスダクト分岐装置における規制部材の平面図、（ｂ）はその側面図、（ｃ）はその正面図。
【図４】（ａ）は実施形態のバスダクト分岐装置における固定部材の平面図、（ｂ）はその側面図、（ｃ）はその正面図。
【図５】（ａ）は実施形態のバスダクト分岐装置における固定具の平面図、（ｂ）はその側面図、（ｃ）はその底面図。
【図６】（ａ）は実施形態のバスダクト分岐装置における固定部材の開放状態を示す部分側面図、（ｂ）はその閉塞状態を示す部分側面図。
【図７】（ａ）は実施形態のバスダクト分岐装置における固定補助部材の平面図、（ｂ）はその側面図、（ｃ）はその正面図。
【図８】（ａ）は実施形態のバスダクト分岐装置とバスダクトの分離状態を示す側面図、（ｂ）はバスダクトの平面図。
【図９】（ａ）は実施形態のバスダクト分岐装置におけるガイド部材の挿入状態を示す側面図、（ｂ）はその拡大説明図。
【図１０】（ａ）、（ｂ）は実施形態のバスダクト分岐装置の固定部材による固定を説明する側面説明図。
【図１１】（ａ）、（ｂ）は図１０の固定部材による固定を説明する一部縦断正面図。
【図１２】（ａ）は第１変形例の固定部材の平面図、（ｂ）はその側面図、（ｃ）はその正面図。
【図１３】（ａ）、（ｂ）は第１変形例の固定部材による固定を説明する側面説明図。
【図１４】（ａ）〜（ｄ）は第２変形例〜第５変形例の固定部材を示す図。
【図１５】（ａ）は第６変形例の固定部材の平面図、（ｂ）はその側面図。
【図１６】（ａ）、（ｂ）は第６変形例の固定部材による固定を説明する部分側面図。
【図１７】（ａ）〜（ｆ）は第７変形例〜第１２変形例の固定部材を示す図。
【図１８】（ａ）は第１３変形例の固定部材の平面図、（ｂ）はその側面図、（ｃ）はその正面図。
【符号の説明】
【０１０１】
１…バスダクト分岐装置  ２…箱体  ２ａ…底板  ２ｂ…側壁  ２ｃ…前壁  ２ｄ…後壁  ２ｅ…蓋体  ２ｅ１…端板  ２ｆ…取手  ３…ガイド部材  ３１…基部  ３１ａ…前方側辺  ３１ｂ…後方側辺  ３２…ガイド片  ３２ａ…係止部  ３２ｂ…垂直辺  ３２ｃ…底辺  ３２ｄ…支持辺  ３２ｅ…案内辺  ３２ｆ…箱体支持辺  ３２ｇ…凹部  ３３…アース電極  ４…取付部材  ４１…取付部  ５…分岐用端子  ６…固定部材  ６１…ヒンジ  ６２…固定基部  ６３…固定板  ６３ａ…開口  ６３ｂ…長孔  ６４…支持片  ６５…固定具  ６５１…基部  ６５２…支持脚  ６５３…挟持片  ６６ａ…ボルト  ６６ｂ…ナット  ６８…結束紐  ７…固定補助部材  ７１…固定基部  ７２…固定板  ７２ａ…長孔  ７３…支持片  ８…ブレーカー  ８１…可撓性導線  ８２…端子台  ９…規制部材  ９１…基部  ９２…延在部  ９２ａ…切欠  ９３…規制板  １０…バスダクト  １１…バスダクトユニット  １１１…導体  １１２…パイプスペーサ  １１２ａ…ローレット溝  １１３…側板  １１３ａ…第１補強部  １１３ｂ…第２補強部  １１４ａ、１１４ｂ…ナット  １１５…接続板  １１５ａ…ガイド孔  １１５ｂ…挿入口  １１５ｃ…蓋体  １１６ａ…ボルト  １１６ｂ…ナット  １２…接続ユニット  １２１…導電性接続部材  １２２…絶縁セパレータ  １２３…接続側板  １２４…締着具  ２００、３００、４００、５００、６００、７００、８００、９００…固定部材  ２０１、３０１…固定基部  ２０１ａ…開口  ２０２、３０２、４０２、５０２、６０２、７０２、８０２、９０２…固定板  ２０２ａ…開口  ２０２ｂ…長孔  ２０３、３０４、４０３、５０３、８０３…支持片  ３０２ａ…長孔  ３０３…バネ部材  ３０３ａ…バネ押え具  ３０３ｂ…バネ  ４５０、５５０、６５０、７５０、８５０、９５０…窓  ６０３、７０３…第１支持片  ６０４、７０４…第２支持片  ８６０…緩衝シート  ９０３…支持ネジ  ２１０…レール部材  ２１０ａ…基部  ２１０ｂ…レール部
【図１】
2010119286.tif 000003
【図２】
2010119286.tif 000004
【図３】
2010119286.tif 000005
【図４】
2010119286.tif 000006
【図５】
2010119286.tif 000007
【図６】
2010119286.tif 000008
【図７】
2010119286.tif 000009
【図８】
2010119286.tif 000010
【図９】
2010119286.tif 000011
【図１０】
2010119286.tif 000012
【図１１】
2010119286.tif 000013
【図１２】
2010119286.tif 000014
【図１３】
2010119286.tif 000015
【図１４】
2010119286.tif 000016
【図１５】
2010119286.tif 000017
【図１６】
2010119286.tif 000018
【図１７】
2010119286.tif 000019
【図１８】
2010119286.tif 000020